(57)【要約】【課題】  遊戯機械を遊戯場の取り付け梁等に取り付けるための強度のある取り付け用枠を提供すること。【解決手段】  本願発明の遊戯機械取り付け用枠はコの字形状の２つの平行な、垂直方向に延びる側辺部と、該側辺部の上端部に連続して接続される水平横方向に延びる上辺部と、側辺部の下端部に連続して接続される水平横方向に延びる下辺部とからなる、全体として矩形形状である。本願の遊戯機械取り付け用枠において、２つの平行な側辺部をプラスチック樹脂から成形し、上辺部及び下辺部を木材から形成するようになっている。そして、２つの側辺部と上辺部及び下辺部のそれぞれが、側辺部と上辺部または下辺部とが交差する部分、つまり、取り付け用枠の角部において、上辺部及び下辺部の横方向の各端部がコの字形状側辺部の水平部分の内側に入り込むようにして接続されるようになっており、該接続領域は、各側辺部の上方から取り付け用部材によって固定されるようになっている。【選択図】          図３
2007050074.tif 000002
【特許請求の範囲】
【請求項１】
２つの平行な垂直方向に延びるコの字形状側辺部と、該側辺部の上端部に連続して接続される水平横方向に延びる上辺部と、前記側辺部の下端部に連続して接続される水平横方向に延びる下辺部とからなるほぼ矩形形状を有する遊戯機械取り付け用枠であって、
前記２つの平行な側辺部はプラスチック樹脂から成形され、前記上辺部及び前記下辺部は木材から形成されており、
前記２つの平行な側辺部のそれぞれと前記上辺部及び前記下辺部は、前記側辺部と前記上辺部または前記下辺部とが交差する前記取り付け用枠の角部において、前記上辺部及び前記下辺部の横方向の各両端部が前記コの字形状側辺部の水平部分の内側に入り込むようにして接続されるようになっており、該接続領域は、前記各側辺部の上方から取り付け用部材によって固定されるものであることを特徴とする遊戯機械取り付け用枠。
【請求項２】
請求項１に記載した遊戯機械取り付け用枠であって、前記接続領域において前記側辺部の上に重ねられ、前記取り付け用部材によって固定されるようになっている、前記側辺部と前記上辺部、前記下辺部との接続を補強するためのＬ字形金属補強板を有することを特徴とする遊戯機械取り付け用枠。
【発明の詳細な説明】
【技術分野】
【０００１】
本発明は、パチンコ機械のような遊戯機械を遊戯場の取り付け梁等に取り付けるための取り付け用枠に関する。
【背景技術】
【０００２】
パチンコ機械は、遊戯場の取り付け梁等に横方向に多数並べて取り付けられている。この取り付けには、矩形上の取り付け用枠が使用されている。すなわち、取り付け用枠を梁等の支持構造に予め取り付けておき、この支持枠に設けたヒンジ金具に遊戯機械の一方の縦辺を取り付けて、該遊戯機械を垂直軸まわりに回動可能に支持する。遊戯機械は、通常は、取り付け用枠に設けた取り付け金具により該取り付け用枠に固定され、調整又は修理等のために必要があるときは、取り付け金具により固定を解放してヒンジ金具のヒンジ軸周りに回動させ、機械の裏側を点検できるようにする。
従来、この種の遊戯機械の取り付けのために用いられている取り付け用枠は、木製であった。その理由は、遊戯機械の支持のために要求される強度及び剛性からプラスチック製は不適当と考えられていたこと、金属製は木製に比べて高価につくことである。
このような欠点を解決するために、強度、剛性を有するようなプラスチックのみから形成された遊戯機械用の取り付け用枠が考案された（特許文献１参照）。特許文献１に記載のプラスチック製の取り付け用枠では、強度及び剛性を持たせるために繊維強化樹脂を採用している。しかし、プラスチック製のみからなる取り付け用枠は一体成形されているため形状的な自由度に劣ること、また、遊戯機械を取り付けた後の微調整がしにくいといった欠点を有する。また。ガラス繊維入りの樹脂は、通常の樹脂製品に比較するとリサイクル性に欠けるといった欠点を有する。
【０００３】
【特許文献１】特許番号第３５３４４２６号掲載公報
【発明の開示】
【発明が解決しようとする課題】
【０００４】
本発明は、上記のような欠点を解決するためのものであり、木材からなる部材とプラスチック製の部材とを適切に組み合わせることにより、ガラス繊維等が含まれたプラスチック樹脂材料から単体に成形された遊戯機械取り付け用枠や、木材からなる取り付け用枠等と同等の、或いはこれらに勝る強度及び剛性を確保することができ、また、取り付け後においても微細な調整がしやすく、安価な遊戯機械の取り付け用枠を提供するものである。
【課題を解決するための手段】
【０００５】
上記課題を解決するために、本願発明においては、遊戯機械取り付け用枠はコの字形状の２つの平行な、垂直方向に延びる側辺部と、該側辺部の上端部に連続して接続される水平横方向に延びる上辺部と、側辺部の下端部に連続して接続される水平横方向に延びる下辺部とからなる、全体として矩形形状である。本願の遊戯機械取り付け用枠において、２つの平行な側辺部をプラスチック樹脂から成形し、上辺部及び下辺部を木材から形成するようになっている。そして、２つの側辺部と上辺部及び下辺部のそれぞれが、側辺部と上辺部または下辺部とが交差する部分、すなわち、取り付け用枠の角部において、上辺部及び下辺部の横方向の各端部がコの字形状側辺部の水平部分の内側に入り込むようにして接続されるようになっており、該接続領域は、各側辺部の上方から取り付け用部材によって固定されるようになっている。
【０００６】
本発明の別の態様において、側辺部と上辺部または下辺部の接続領域において側辺部の上に重ねられ、取り付け用部材によって固定されるようになっている、側辺部と上辺部、下辺部の接続を補強するためのＬ字形金属補強板を有することが好ましい。
金属補強板、側辺部、上下辺部を固定するための取り付け用部材は、ねじまたはボルトであればよい。
【発明の効果】
【０００７】
本願発明の遊戯機械用の取り付け用枠は、上下辺部と側辺部とが接続された矩形形状であり、上下辺部が木材で形成され、左右側辺部がプラスチック樹脂製である。このため、ガラス繊維等を含むプラスチック製樹脂により一体成形された取り付け用枠と比較すると、強度、剛性が向上するとともに、左右側辺部が単体で成形されるために複雑な成形も可能となり、自由な形状を選択できるという顕著な効果を有する。
また、一般的にパチンコなどの遊戯機械を店内に取り付ける際には、前後左右の遊戯機械の台の傾きの取り付け調整はくぎを使って行なわれている。従って、プラスチック樹脂により一体成形された取り付け用枠では、このような台の傾きといった微調整を行なうことが困難であったが、木材から形成される上下辺部と組み合わせることにより、このような微調整も容易に行なえる。
【０００８】
また、プラスチック樹脂からのみなる一体成形された取り付け用枠では、ガラス繊維などプラスチックを補強強化する材料が必要とされたが、本願においては、木材との組み合わせにより、強度が大幅に向上するために、通常の樹脂を使用することができ、費用の面においても廉価なものになる。さらに、木材により形成された遊戯機械取り付け用枠と比較しても安価であって、製造工程も簡単なものにできる。
【０００９】
さらに、このような取り付け用枠を複数搬送する際には、一般的には、遊戯機械を起てた状態で並列に並べ、該枠の天面にベニヤ板等を渡してくぎで固定するようになっているが、このような搬送方法をプラスチック製のみからなる取り付け用枠には適用できない。これに対し、本願の取り付け用枠の上辺部は木製であるために従来の搬送方法にも適用可能となり、搬送方法を改めて考慮する必要もなくなる。
【発明を実施するための最良の形態】
【００１０】
以下、本発明の実施の一実施例を図について説明する。図１は、遊戯機械取り付け用枠の使用状態を示す概略図である。遊戯場に設けた機械支持梁１に遊戯機械取り付け用枠２が取り付けられる。この取り付け用枠２に対してパチンコ機械のような遊戯機械３が取り付けられる。遊戯機械３は、縦方向のヒンジ軸４まわりに回動可能なように取り付け用枠２に取り付けられる。遊戯機械３の前面は図１に示すように取り付け用枠２から前方に突出し、主体部は取り付け用枠２の枠内から後方に入り込んだ状態で収容される。
【００１１】
図２は、本発明による遊戯機械取り付け用枠２の一実施例を示すものである。取り付け用枠２は、２つの垂直方向に延びる平行な側辺部２１ａ、２１ｂと、該側辺部２１ａ、２１ｂの上端において該側辺部に対し直角に水平方向に延びる上辺部２２、及び該側辺部２１ａ、２１ｂの下端において該側辺部に対し直角に水平方向に延びる、上辺部２２に平行な下辺部２３とからなる矩形形状を有する。左右側辺部２１ａと２１ｂはプラスチック樹脂により成形されている。樹脂材料としては、スチレンアクリロニトリル樹脂、アクリロニトリルブタジエンスチレン樹脂、ポリスチレン樹脂、ポリカーボネート樹脂、ポリフエレンオキサイド樹脂等を用いることが好ましいが、これらに限定されるものではない。上辺部２２と下辺部２３は、従来遊戯機械の取り付け用枠に使用されている一般的な木材であればよい。上辺部２２と下辺部２３は、取り付け用枠２の４つの角部のそれぞれにおいて、Ｌ字形の金属補強板２４により、それぞれ左右側辺部２１ａ、２１ｂに連続するように接続されている。金属補強板２４を使用することで、各部材をより確実に固定することができるとともに、強度も向上する。
【００１２】
図３は、図２に図示した取り付け用枠２をわかりやすくするために、取り付け用枠２を分解した状態で示した斜視図である。Ｌ字形の金属補強板２４には、取り付け用の部材すなわち、本実施例においてねじを挿入するための孔２５が複数形成されている。本実施例においては、側辺部２１ａ、２１ｂに対応する面には２つ、上辺部２２、下辺部２３に対応する面には４つの孔が金属補強板２４のそれぞれに形成されているが、これらの数に限定されるものではない。以下、取り付け用枠２は上下、左右対称に形成されているので、側辺部２１ａ、ｂと上辺部２２、下辺部２３の関係については、１つの構成のみについて説明し、他の同一構成に関する説明は省略する。側辺部２１aは、取り付け用枠２の角部における上端部および下端部において上辺部２２と下辺部２３の横方向端部の一部と重なり合うようにコの字形状に形成されている。側辺部２１ａの上辺部２２との接続部分には金属補強板２４のネジ孔に対応する位置にねじ挿入用の孔が形成されている。上辺部２２、下辺部２３それぞれの左右端部領域２２ａ、ｂの幅は、側辺部２１aの内側に隙間なく嵌るように上辺部２２の幅よりも所定の大きさだけ小さくなるように形成されている。
【００１３】
組立時において、上辺部２２の端部領域２２ａが側辺部２１ａの内側に組み込まれ、側辺部２１ａの上方から金属補強板２４がはめられる。次いで、ねじが金属板２４の孔を通って側辺部２１ａの孔を通り、上辺部の端部領域２２ａにねじ込まれてねじ止めされる。このようにして、プラスチック樹脂製の側辺部２１ａ、２１ｂと木材からなる上辺部２２、下辺部２３が取り付け用枠２の角部においてそれぞれ固定された状態で接続される。
【００１４】
図４の（ａ）は、プラスチック樹脂から成形された側辺部２１の表面からみたときの正面図であり、（ｂ）は（ａ）のB−B線における断面図であり、（ｃ）は（ａ）のA−A線における断面図であり、（ｄ）は、側辺部２１の、上辺部２２、下辺部２３との接続領域の上からみたときの正面図であり、図４の（ｅ）は、側辺部２１の裏面からみたときの正面図である。図４からわかるように、側辺部２１には、遊戯機械をはめ込むために、適当な場所に複数の凹部が形成されているが、このパターンは本実施例に限定されるものでなく、遊戯機械をはめ込むために適切な凹部パターンを側辺部２１に設けることが可能である。側辺部２１ａ、ｂは単体で成形できるために、さらに複雑なパターンを有する構成であっても成形可能である。
【００１５】
図５の（ａ）、（ｂ）、（ｃ）は、取り付け用枠２の角部における、金属補強板２４、上辺部２２、下辺部２３及び側辺部２１ａ、２１ｂを接続するときの、図３で図示した実施形態とは別の実施例を表す接続部分の断面図である。
図５の（ａ）を参照する。Ｌ字形金属補強板２４の上辺部２２に対応する側において、ボルトを挿入するための貫通孔２７がプラスチック製の側辺部２１と木製の上辺部にわたり連続するようにして形成されている。上辺部２２の内側では、貫通挿入されたボルト２６がナットによって締められて、側辺部２１と上辺部２２との接続を確実なものにしている。貫通孔２７が形成された位置からさらに上辺部の横方向端部側寄りに所定の距離をあけた位置に、側辺部２１において、ねじ孔２８が形成され、ねじが挿入されねじ止めされている。また、側辺部２１の取り付け用枠２の上端側の所定の位置に、ねじ挿入孔２９が形成されており、金属補強板２４と側辺部２１a、ｂがねじにより固定されるようになっている。このような構成において、プラスチック製の側辺部２１a、ｂは上辺部２２、下辺部２３に対し上受け状態になっている。
【００１６】
図５の（ｂ）は、取り付け用枠２の角部における側辺部２１a、ｂと上辺部２２、下辺部２３のさらに別の実施例の断面図である。側辺部２１a、ｂには、上辺部２２、下辺部２３に対し下受けになるように凹部が形成され、この凹部内に上辺部２２、下辺部２３の横方向の端部がはめ込まれるようになっている。これらの接続はボルトやねじを使用せずに、比較的強度のある一般的な接着剤などを使用して補強金属板２４、側辺部２１、上辺部２２を固定するようになっている。この場合には、側辺部２１が上辺部２２を下受けする状態になっているので、取り付け用の部材を使用しなくても強度、剛性ともにすぐれたものになる。また、取り付け用の部材のための挿入孔等が必要とされないため、製造工程も容易なものになる。また、本実施形態において、プラスチック材料からなる側辺部２１ａ、ｂが木材からなる上辺部２２、下辺部２３を受け入れるようになっているために、上下方向の力に対し強度が向上することになる。
【００１７】
図５の（ｃ）は、（ｂ）に図示した取り付け用枠２の角部における側辺部２１a、ｂと上辺部２２、下辺部２３の取り付けに接着剤を使用せず、ねじ、ボルトといった取り付け用部材を使用した場合の実施例の断面図である。（ｂ）において説明したように、側辺部２１a、ｂには、上辺部２２、下辺部２３に対し下受けになるように凹部が形成され、この凹部内に上辺部２２、下辺部２３の横方向の端部がはめ込まれるようになっている。上辺部２２横方向端部側において、金属補強板２４、上辺部２２、側辺部２１ａにわたりボルト用の貫通孔３０が形成されており、金属補強板２４の上側からボルトが挿入されてナットで締められ固定されるようになっている。さらに、左右側辺部２１ａ、ｂの縦方向の両端部側には金属補強板２４により固定されるためのねじ挿入孔３１が形成されており、金属補強板２４と左右側辺部２１ａ、ｂのそれぞれが取り付けねじにより固定されるようになっている。このように、金属補強板２４により、左右側辺部２１ａ、ｂが下受け状態で上辺部２２、下辺部２３とがはめ込まれてこれらの接続を確実なものにしている。本実施形態において、プラスチック材料からなる側辺部２１ａ、ｂが木材からなる上辺部２２、下辺部２３を受け入れるようになっているために、上下方向の力に対し強度が向上することになる。
【００１８】
以上のように、本発明の構成により、プラスチック材料と木材とを適切に組み合わせることで安価でありながら、強度、剛性にすぐれた遊戯機械取り付け用枠を製造することができる。本発明による遊戯機械用取り付け枠は、プラスチック材料部分は、単体で製造できるので、複雑な形状を成形する場合であっても比較的容易に製造することができる。
【図面の簡単な説明】
【００１９】
【図１】遊戯取り付け用枠の使用状態を示す斜視図である。
【図２】本発明に係る遊戯機械取り付け用枠の一実施例を示す全体斜視図である。
【図３】図２に図示した本発明の遊戯機械取り付け用枠の第一の実施例の分解斜視図である。
【図４】（ａ）は本発明の遊戯機械取り付け用枠の側辺部の表面からみたときの正面図、（ｂ）は（ａ）のＢ−Ｂ線における断面図、（ｃ）は（ａ）のＡ−Ａ線における断面図、（ｄ）は側辺部の上からみたときの正面図、(ｅ）は側辺部を裏面からみたときの正面図である。
【図５】（ａ）は本発明の遊戯機械取り付け用枠の側辺部と上辺部との別の実施例の接続部分に関する断面図であり、（ｂ）、（ｃ）はさらに接続部における別の実施例に関する接続部分の断面図である。
【符号の説明】
【００２０】
２  遊戯機械取り付け用枠
３  遊戯機械
２１ａ、２１ｂ  側辺部
２２  上辺部
２３  下辺部
２４  金属補強板
２５  ねじ孔
【図１】
2007050074.tif 000003
【図２】
2007050074.tif 000004
【図３】
2007050074.tif 000005
【図４】
2007050074.tif 000006
【図５】
2007050074.tif 000007